(57)【要約】【課題】  ＤＨＣＰサーバによってＩＰアドレスの割り当てが行われるＩＰ電話機システムにおいて、ＤＨＣＰサーバのメンテナンスなど、何らかの要因によりＤＨＣＰサーバのサービスが停止した場合でも、運用不能状態となることを回避する。【解決手段】  ＩＰ電話機２１は、ＤＨＣＰサーバ３１からＩＰアドレスを取得すると、そのＩＰアドレスをＤＨＣＰサーバ通信部２３とＩＰアドレスバックアップ部２４に保存する。ＤＨＣＰサーバ通信部２３に保存されたＩＰアドレスは通常運用に用い、ＩＰアドレスバックアップ部２４に保存されたＩＰアドレスはＤＨＣＰサーバ通信障害時の運用に用いる。ＤＨＣＰサーバ３１とＩＰ電話機２１間における通信が停止した場合、パソコン装置３２からの指示により、ＩＰ電話機２１はＩＰアドレスバックアップ部２４に保存されたバックアップＩＰアドレスに切り替えて運用を継続する。【選択図】  図１
2006173877.tif 000002
【特許請求の範囲】
【請求項１】
ＩＰ−ＰＢＸと、ＤＨＣＰサーバによってＩＰアドレスの割り当てが行われるＩＰ電話機がＬＡＮ伝送路に接続されたＩＰ電話機システムにおいて、前記ＩＰ電話機が前記ＤＨＣＰサーバから割り当てられたＩＰアドレスのバックアップを行うことを特徴とするＩＰ電話機システム。
【請求項２】
前記ＩＰ電話機は、前記ＤＨＣＰサーバとの通信障害が発生するとバックアップしておいた前記ＩＰアドレスに切り替えて運用を継続することを特徴とする請求項１記載のＩＰ電話機システム。
【請求項３】
前記ＩＰ電話機は、前記ＤＨＣＰサーバとの通信障害が発生すると前記ＩＰ−ＰＢＸへ通信障害を通知することを特徴とする請求項１または２記載のＩＰ電話機システム。
【請求項４】
前記ＩＰ−ＰＢＸは、前記ＩＰ電話機がバックアップしておいたＩＰアドレスによる運用を管理することを特徴する請求項１乃至３記載のＩＰ電話機システム。
【発明の詳細な説明】
【技術分野】
【０００１】
本発明は、ＩＰ電話機システムに関し、特にＤＨＣＰサーバよりＩＰ電話機のＩＰアドレスを付与するＩＰ電話機システムに関する。
【背景技術】
【０００２】
バス型ローカルエリアネットワーク（以下、「ＬＡＮ」とする）伝送路に接続したボタン電話主装置（以下、「ＩＰ−ＰＢＸ」とする）とインターネットプロトコル（以下、「ＩＰ」とする）電話機システムにおいて、ＩＰ電話機にＩＰアドレスを付与する方法して、ＤＨＣＰ（Dynamic Host Configuration Protocol；動的ホスト構成プロトコル）サーバを用いる手段がある。ＤＨＣＰサーバを使用すると、各ＩＰ電話機には自動的にＩＰアドレスが付与され、容易にシステムを構築することができる。
【０００３】
また、特許文献１にはモバイルコンピュータをネットワークに接続した際に、ＤＨＣＰサーバより動的なＩＰアドレスを割り当てたれた場合には、そのアドレスを自己のＩＰアドレスとして設定し、動的なＩＰアドレスが割り当てられなかった場合には、過去に設定した実績のある固定的なＩＰアドレスをＩＰアドレス保存メモリから読み出し、自己のＩＰアドレスとして仮設定して通信テストを行う。通信テストが成功した場合には、そのアドレスを自己のＩＰアドレスとして設定し、失敗した場合には、ＩＰアドレス保存メモリにデータがある限り、通信テストを試みる。通信テストが全て失敗に終わった場合には、手入力によりＩＰアドレスを設定する技術が記載されている。
【０００４】
【特許文献１】特開２００２−１３５２５４
【発明の開示】
【発明が解決しようとする課題】
【０００５】
上述した従来のＤＨＣＰサーバよりＩＰ電話機のＩＰアドレスを付与するＩＰ電話機システムではネットワークに障害が発生した場合や、ＤＨＣＰサーバのメンテナンスを行う場合など、何らかの要因でＤＨＣＰサーバとＩＰ電話機間における通信が停止してしまうことがある。
【０００６】
このような場合、ＩＰ電話機からＤＨＣＰサーバへ定期的に送出する延長要求に対する応答がなくなる。そしてＩＰ電話機はＩＰアドレスのリース期限が切れると自ＩＰアドレスを失い、ＩＰ−ＰＢＸと通信することができなくなり、システムが運用不能状態となってしまう問題点があった。
【０００７】
また特許文献１に記載された発明は、運用前の通信テストにおいて、ネットワークに既存のＩＰアドレスと、新たに継続しようとする端末のＩＰアドレスが衝突する恐れがあり、ＩＰ電話機は同じネットワークに重複するＩＰアドレスが存在すると自立的にリセットを行う可能性があるため、この方法をＩＰ電話機システムに適用した場合、ＩＰ電話機は一時通信不通となり、ＩＰ電話機に接続されているパソコン装置までもが通信不能状態に陥ってしまうという問題点があった。
【０００８】
本発明は上記問題点を鑑みて、ネットワーク障害の発生、ＤＨＣＰサーバのメンテナンスなど、何らかの要因によりＤＨＣＰサーバのサービスが停止した場合でも、運用不能状態となることを回避可能なＩＰ電話機システムを提供することを目的とする。
【課題を解決するための手段】
【０００９】
本発明は、ＩＰ−ＰＢＸと、ＤＨＣＰサーバによってＩＰアドレスの割り当てが行われるＩＰ電話機がＬＡＮ伝送路に接続されたＩＰ電話機システムにおいて、前記ＩＰ電話機が前記ＤＨＣＰサーバから割り当てられたＩＰアドレスのバックアップを行うことを特徴とする。
【００１０】
また、前記ＩＰ電話機は、前記ＤＨＣＰサーバとの通信障害が発生するとバックアップしておいた前記ＩＰアドレスに切り替えて運用を継続することを特徴とする。
【００１１】
また前記ＩＰ電話機は、前記ＤＨＣＰサーバとの通信障害が発生すると前記ＩＰ−ＰＢＸへ通信障害を通知することを特徴とする。
【００１２】
また前記ＩＰ−ＰＢＸは、前記ＩＰ電話機がバックアップしておいたＩＰアドレスによる運用を管理することを特徴する。
【発明の効果】
【００１３】
第１の効果は、ＩＰアドレス消失によるＩＰ電話機の運用停止を回避することができる。その理由は、ＤＨＣＰサーバとの通信が途絶えたとしても、バックアップＩＰアドレスにて運用を続けることができるためである。
【００１４】
第２の効果は、ＤＨＣＰサーバに通信障害が発生した場合、ＩＰ電話機が受ける被害を最小限に抑えることができる。その理由は、ＩＰ電話機はＤＨＣＰサーバ間における通信障害を検出すると、その旨をＩＰ−ＰＢＸへ通知することにより、ＩＰ−ＰＢＸに接続したパソコン装置を介して、システム管理者に通信障害を知らせることができるためである。システム管理者はＩＰ−ＰＢＸに接続したパソコン装置から指示を出し、全ＩＰ電話機を一斉にバックアップＩＰアドレス運用に切り替えることができる。また、ＤＨＣＰサーバが復旧した際には、全ＩＰ電話機のバックアップＩＰアドレスによる運用を停止させ、ＤＨＣＰサーバとの通信を再開し、新しいＩＰアドレスを取得させることができる。これにより、ＩＰ電話機間におけるＩＰアドレスの衝突を防ぐことができる。
【発明を実施するための最良の形態】
【００１５】
次に、本発明の実施の形態について図面を参照して詳細に説明する。図１は、本発明を実施するための最良の形態（以下、「本発明の実施形態」とする。）を説明するシステム構成図である。図１に示す通り、本発明の実施形態の構成は、ＩＰ−ＰＢＸ１０と、複数のＩＰ電話機２０〜２２、ＩＰ電話機２０〜２２にＩＰアドレスを付与するＤＨＣＰサーバ３１がＬＡＮ伝送路３０に接続されている。またＩＰ−ＰＢＸ１０にはパソコン装置３２が接続されている。
【００１６】
ＩＰ−ＰＢＸ１０は、ＤＨＣＰモード設定部１１とＤＨＣＰ通信管理部１２を備えている。ＤＨＣＰモード設定部１１は、収容するＩＰ電話機２０〜２２のＩＰアドレスをＤＨＣＰサーバ３１より取得するか否か（ＤＨＣＰ  ＯＮ／ＯＦＦ）、ＤＨＣＰサーバ３１から取得したＩＰアドレスをバックアップするか否か（バックアップ  ＯＮ／ＯＦＦ）、ＩＰ電話機２０〜２２をバックアップしたＩＰアドレスにより運用するか否か（バックアップ運用  ＯＮ／ＯＦＦ）を管理し、これらの指示はＩＰ−ＰＢＸ１０に接続したパソコン装置３２から入力することができる。なお、ＩＰ電話機２０〜２２をバックアップ運用するか否かについては、通常はオフに設定し、ネットワーク障害発生時、ＤＨＣＰサーバ３１のメンテナンス時など、ＤＨＣＰサーバ３１とＩＰ電話機２０〜２２間における通信を遮断したいときのみ使用（バックアップ運用  ＯＮ）する。
【００１７】
ＤＨＣＰ通信管理部１２では、ＩＰ電話機２０〜２２とＤＨＣＰサーバ３１間の通信を管理しており、ＩＰ電話機２０〜２２よりＤＨＣＰサーバ３１と通信できないことを受信すると、ＤＨＣＰモード設定部１１に通知する。
【００１８】
ＩＰ電話機２１は、ＤＨＣＰサーバ３１と通信してＩＰアドレスを取得するＤＨＣＰサーバ通信部２３と、ＤＨＣＰサーバ３１から取得したＩＰアドレスをバックアップするＩＰアドレスバックアップ部２４と、これらを制御するＩＰアドレス制御部２５を有する。なお、ＩＰ電話機２０、２２に関してもＩＰ電話機２１と同一構成を有する。
【００１９】
次に、本発明の実施形態の動作について説明する。
【００２０】
図２は図１に示す本発明の実施形態において、ＤＨＣＰ通信障害が発生した場合の動作を示すフローチャート図である。
【００２１】
なお、ここでは、ＩＰ電話機２０〜２２のうち、ＩＰ電話機２１を代表に、ＩＰアドレスをＤＨＣＰサーバ３１より取得し、バックアップを行うように設定したシステム（ＤＨＣＰＯＮ、バックアップＯＮ、バックアップ運用ＯＦＦ）において、ネットワークに障害が発生したときの処理、及びネットワーク復旧後の処理についての説明を行う。
【００２２】
ＩＰ電話機２１は、ＩＰアドレス制御部２５の指示によりＤＨＣＰサーバ通信部２３を通じてＤＨＣＰサーバ３１と通信を行い、ＩＰアドレスを取得する。バックアップＯＮ指示を受けているので、取得したＩＰアドレスは、ＤＨＣＰサーバ通信部２３に保存するとともに、ＩＰアドレスバックアップ部２４にも保存し、ＩＰ電話機２１は運用を開始する。
【００２３】
ＩＰ電話機２１のＤＨＣＰサーバ通信部２３は、ＤＨＣＰサーバ３１からＩＰアドレスを取得後、定期的にＤＨＣＰサーバ３１へＩＰアドレスの延長要求を送出する。ＤＨＣＰサーバ３１よりＡＣＫ応答があった場合は現状のＩＰアドレスを維持するが、ＤＨＣＰサーバ３１よりＮＡＫ応答があった場合や、応答がなかった場合、ＩＰ電話機２１はやがてＩＰアドレスを消失する。
【００２４】
ネットワークに障害が発生し、ＤＨＣＰサーバ３１からＩＰ電話機２１に対する応答がなくなると、ＩＰ電話機２１のＩＰアドレス制御部２５はＤＨＣＰサーバ３１との通信に障害が生じたことを検出し（Ｓ１）、ＩＰ−ＰＢＸ１０のＤＨＣＰ通信管理部１２へ通知する（Ｓ２）。
【００２５】
ＩＰ電話機２１は、ＤＨＣＰサーバ３１より応答がなく、ＩＰアドレスのリース期限が切れるとＤＨＣＰサーバ通信部２３内のＩＰアドレスを消失するが、ＩＰ−ＰＢＸ１０からＩＰアドレスのバックアップ指示（バックアップＯＮ）を受けているため（Ｓ３）、ＩＰアドレス制御部２５はＩＰ電話機２１の運用停止を回避すべく、ＤＨＣＰサーバ通信部２３のＩＰアドレスを使用せず、ＩＰアドレスバックアップ部２４に保存しておいたＩＰアドレスに切り替え（Ｓ４）、ＩＰ電話機２１の運用を継続する。
【００２６】
ＩＰ電話機２１は、ＩＰ−ＰＢＸ１０から指示があるまでバックアップＩＰアドレスで動作し、ＤＨＣＰサーバ３１との通信は行わない。仮に、ＩＰ電話機２１がＩＰ−ＰＢＸ１０からバックアップオフの指示を受けていたとすると、ＩＰ電話機２１はＩＰアドレスのリース期限切れとともに自ＩＰアドレスを失い、やがて運用を停止する（Ｓ５〜Ｓ７）。
【００２７】
ＩＰ−ＰＢＸ１０のＤＨＣＰ通信管理部１２は、ＩＰ電話機２１からＤＨＣＰサーバ３１との通信に障害が生じたことを通知されると、ＤＨＣＰモード設定部１１を通じてパソコン装置３２に障害内容を表示し、システム管理者に通知する。
【００２８】
各ＩＰ電話機２０〜２２は、バックアップしたＩＰアドレスにより運用するよう（バックアップ運用ＯＮ）パソコン装置３２から通知を受けると、ＤＨＣＰサーバ３１との通信を停止して、ＩＰアドレスバックアップ部に保存しておいたＩＰアドレスにて運用を開始し、ＩＰ−ＰＢＸ１０から指示があるまでＤＨＣＰサーバ通信部２３によるＤＨＣＰサーバ３１との通信は行わない。
【００２９】
ネットワークが復旧すると、パソコン装置３２はＩＰ−ＰＢＸ１０に収容される全ＩＰ電話機に対して、バックアップＩＰアドレスによる運用を停止するよう（バックアップ運用ＯＦＦ）指示をする。この指示（バックアップ運用  ＯＦＦ）は、ＩＰ−ＰＢＸ１０のＤＨＣＰモード設定部１１を経由して全ＩＰ電話機に届き、指示を受けた各ＩＰ電話機は、ＩＰアドレス制御部の指示により、ＤＨＣＰサーバ通信部および、ＩＰアドレスバックアップ部に保存しているＩＰアドレスを消去後、ＤＨＣＰサーバ３１との通信を再開し、新しいＩＰアドレスを取得して運用を開始する。
【図面の簡単な説明】
【００３０】
【図１】本発明の実施形態の全体構成を示すシステム構成図である。
【図２】本発明の実施形態において通信障害が発生した場合の動作を示すフローチャート図である。
【符号の説明】
【００３１】
１０  ＩＰ−ＰＢＸ
１１  ＤＨＣＰモード設定部
１２  ＤＨＣＰ通信管理部
２０〜２２  ＩＰ電話機
２３  ＤＨＣＰサーバ通信部
２４  ＩＰアドレスバックアップ部
２５  ＩＰアドレス制御部
３０  ＬＡＮ伝送路
３１  ＤＨＣＰサーバ
３２  パソコン装置
２３  ＤＨＣＰサーバ通信部
【図１】
2006173877.tif 000003
【図２】
2006173877.tif 000004